(57)【特許請求の範囲】
【請求項１】
カードを受け入れる受入空間が形成されたハウジングと、
前記カードの電気接点に接触するコンタクトと、
前記カードの挿入方向にスライド自在であって、該カードが前記受入空間から押し出される排出方向に付勢され、該受入空間に挿入されてきたカードの前端縁に押され該受入空間奥側に移動するスライダと、
正規の姿勢で挿入されてきたカードに押された前記スライダを、該カードへの押込力を開放した後も該スライダの前記排出方向への移動を阻止するロック位置に導く第１カム溝と、該第１カム溝の途中から分岐して該カードへの押込力の解放により該スライダを付勢力により該排出方向に移動させる第２カム溝とを有するカム機構と、
前記スライダに前記挿入方向に遊びを持って該スライダに支持され、カードが正規の姿勢で挿入されてきた場合には前記スライダを前記ロック位置に移動させ、カードが不正な姿勢で挿入されてきた場合には該カードに押されて前記挿入方向に移動することにより前記第２カム溝に案内するストッパとを備えたことを特徴とするカードコネクタ。
【請求項２】
前記ストッパを前記排出方向に向かって付勢するストッパ付勢部材を備えたものであることを特徴とする請求項１記載のカードコネクタ。
【請求項３】
前記ストッパが、金属製の部材であることを特徴とする請求項１または２記載のカードコネクタ。
【請求項４】
前記カム機構が、前記ハウジングに支持されるとともに第１カム溝または前記第２カム溝を案内されるカムピンを備えたものであり、
前記ストッパが、前記カムピンを前記第１カム溝に沿って導く第１誘導片と、該カムピン７を該第１カム溝から第２カム溝へ導く傾斜案内面を有する第２誘導片とを備えたものであることを特徴とする請求項１から３のうちのいずれか１項記載のカードコネクタ。
【発明の詳細な説明】
【技術分野】
【０００１】
本発明は、カードコネクタに関する。
【背景技術】
【０００２】
携帯電話に代表される電子機器に、ＩＣが内蔵されたカードを装着するためのコネクタとしてカードコネクタが知られている。
【０００３】
例えば特許文献１には、いわゆるプッシュ／プッシュ形式のカードイジェクト機構を有するカードコネクタが示されている。このカードコネクタは、カードが挿入される空洞内に、このカードに押し込まれるカムスライダを備えている。一旦挿入されたカードが再び押されると、スライダのロックが解除され、スライダによってカードが押し出される。空洞を形成するハウジングには、スライダを案内するリブが突出して設けられている。特許文献１のカードコネクタでは、リブが、誤挿入されたカードの前端に衝突してカードの挿入を阻止する。
【０００４】
また、特許文献２には、プッシュ／プッシュ形式のカードイジェクト機構を有するカードコネクタが示されている。このカードコネクタでは、絶縁ハウジングとともに空洞を形成するメタルシェルに誤挿入防止用突起が設けられている。この誤挿入防止用突起は、誤挿入されたカードの前端に衝突してカードの挿入を阻止する。
【先行技術文献】
【特許文献】
【０００５】
【特許文献１】特開２００４−２２０７８７号公報
【特許文献２】特開２００４−１２７７３１号公報
【発明の概要】
【発明が解決しようとする課題】
【０００６】
しかしながら、特許文献１に示すカードコネクタでは、リブが突出する高さが、空洞内でスライダとすれ違える程度に抑えられている。この場合、誤挿入されたカードが強い力で押されると、カードがリブの上に乗り上げるようにして奥まで挿入されるおそれがある。この結果、カードコネクタまたはカードが破損するおそれがある。このことは、誤挿入防止用突起をメタルシェルに有する特許文献２のカードコネクタについても同様である。
【０００７】
ここで、カードを阻止するリブや突起の高さを確保するため、リブや突起をスライダに形成することが考えられる。しかしこの場合、誤挿入されたカードがリブや突起に当たると、スライダが最奥の位置まで移動することとなる。この結果、プッシュ／プッシュ形式の動作を行うスライダは、カードの誤挿入を許容したままロック状態となってしまう。
【０００８】
本発明は上記問題点を解決し、カードの誤挿入防止を確実とすることが可能であり、かつ、カードの誤挿入が判別しやすいカードコネクタを提供することを目的とするものである。
【課題を解決するための手段】
【０００９】
上記目的を達成する本発明のカードコネクタは、
カードを受け入れる受入空間が形成されたハウジングと、
上記カードの電気接点に接触するコンタクトと、
上記カードの挿入方向にスライド自在であって、カードが上記受入空間から押し出される排出方向に付勢され、受入空間に挿入されてきたカードの前端縁に押され受入空間奥側に移動するスライダと、
正規の姿勢で挿入されてきたカードに押された上記スライダを、カードへの押込力を開放した後もこのスライダの上記排出方向への移動を阻止するロック位置に導く第１カム溝と、この第１カム溝の途中から分岐してカードへの押込力の解放によりこのスライダを付勢力によりこの排出方向に移動させる第２カム溝とを有するカム機構と、
上記スライダに上記挿入方向に遊びを持ってこのスライダに支持され、カードが正規の姿勢で挿入されてきた場合には上記スライダの上記第１カム溝への侵入を許容し、カードが不正な姿勢で挿入されてきた場合にはカードに押されて上記挿入方向に移動することによりこのスライダを上記第２カム溝に案内するストッパとを備えたことを特徴とする。
【００１０】
本発明のカードコネクタでは、スライダの移動を禁止するストッパがスライダに支持されている。このため、ストッパのうち少なくともカードに当たる部分の高さを、スライダに合わせて抑える必要がない。ストッパの、カードに当たる部分の高さを受入空間の高さに合わせて高くすることによって、カードがストッパに乗り上げる事態が防止される。
【００１１】
またさらに、ストッパは、カードが不正な姿勢で挿入されてきた場合には奥側に移動することによって、カムピンを第２カム溝に導く。この後、カードの押込力の解放によりスライダが移動するのに伴い、第２カム溝にあるカムピンは、ロック位置ではなくイジェクト位置に戻る。このため、スライダは最終の排出位置まで移動し、カードが排出される。よって、本発明のカードコネクタは、カードの誤挿入防止を確実とすることが可能であり、かつ、カードの誤挿入が判別しやすい。
【００１２】
ここで、上記本発明のカードコネクタは、上記ストッパを上記排出方向に向かって付勢するストッパ付勢部材を備えたものであることが好ましい。
【００１３】
カードが正規の姿勢で挿入されてきた場合には、ストッパが、カムピンを第１溝に案内する排出方向に移動し、スライダがロック位置に導かれる。
【００１４】
また、上記本発明のカードコネクタにおいて、上記ストッパが、金属製の部材であることが好ましい。
【００１５】
ストッパが金属製の部材であることによって、カードが強い力で挿入された場合でもストッパの破損や変形が抑えられる。したがって、カードの誤挿入が確実に防止される。
【００１６】
また、上記本発明のカードコネクタにおいて、上記カム機構が、上記ハウジングに支持されるとともに第１カム溝または上記第２カム溝を案内されるカムピンを備えたものであり、
上記ストッパが、上記カムピンを上記第１カム溝に沿って導く第１誘導片と、このカムピン７をこの第１カム溝から第２カム溝へ導く傾斜案内面を有する第２誘導片とを備えたものであることが好ましい。
【発明の効果】
【００１７】
以上説明したように、本発明によれば、カードの誤挿入防止を確実とすることが可能であり、かつ、カードの誤挿入が判別しやすいカードコネクタが実現する。
【図面の簡単な説明】
【００１８】
【図１】本発明の一実施形態であるカードコネクタの平面図である。
【図２】スライダおよびストッパをそれぞれ示す平面図である。
【図３】スライダおよびストッパをそれぞれ示す側面図である。
【図４】スライダおよびストッパが組み合わせられた状態を示す図であり、パート（Ａ）は平面図、パート（Ｂ）はパート（Ａ）のＢ−Ｂ線における断面図である。
【図５】図４に対し、ストッパが前方位置に位置した状態を示す図である。
【図６】正規の姿勢でカードがカードコネクタに挿入された状態を示す図である。
【図７】スライダがロック位置に移動した状態を示す平面図である。
【図８】不正な姿勢でカードがカードコネクタに挿入された状態を示す。
【発明を実施するための形態】
【００１９】
以下図面を参照して本発明の実施の形態を説明する。
【００２０】
図１は、本発明の一実施形態であるカードコネクタの平面図である。図１には、カードコネクタＣと、カードコネクタＣに装着されるカードＪが示されている。ここで、カードＪは、ＩＣが内蔵されたＩＣカードであり、例えばマイクロＳＩＭカードである。図１には、カードＪが、カードコネクタＣに挿入される正規の姿勢で示されている。カードＪがカードコネクタＣに挿入される方向を挿入方向Ｘと称する。カードＪは、概略矩形の板状であり、挿入方向Ｘにおける前端縁Ｅの、左右一方に切欠きＮが形成されている。本実施形態におけるカードＪの切欠きＮは、図１に示す正規の姿勢において、カードコネクタＣに向かって左の端に形成されている。また、カードＪには、６つの電気接点Ｐ（Ｐ１〜Ｐ６）が設けられている。電気接点Ｐ１〜Ｐ６は、図１に示す正規の姿勢において下面すなわち、図１に現れる面の反対面に配置されている。
【００２１】
カードコネクタＣは、ハウジング１、シェル２、６つのコンタクト３、スライダ４、ストッパ５、コイルばね６、カムピン７、および、板ばね８を備えている。なお、図１では、シェル２が取り外された状態が実線で示され、シェル２は外形のみが破線で示されている。
【００２２】
ハウジング１は、絶縁性の樹脂材料で形成されている。シェル２は、金属板を打抜き加工および折曲げ加工することで形成されている。ハウジング１およびシェル２は、双方とも略矩形状の外形を有している。シェル２は、ハウジング１の上を覆うようにハウジング１に取り付けられている。ハウジング１とシェル２の間には、板状のカードＪを受け入れる受入空間１１が形成されている。受入空間１１は、挿入口１１ａで外部に開口した空洞である。カードＪは挿入口１１ａから受入空間１１に、挿入方向Ｘに挿入される。ここで、挿入方向Ｘに垂直な、ハウジング１からシェル２を向いた方向、すなわち図１における紙面を貫く方向を高さ方向Ｚと称する。ハウジング１の、受入空間１１の挿入方向Ｘにおける奥には、移動してくるスライダ４を制止するための制止壁１４が設けられている。また、制止壁１４には、ストッパ５を付勢するための板ばね８が設けられている。
【００２３】
コンタクト３は、カードＪの電気接点Ｐ１〜Ｐ６と電気的に接続するための部材である。コンタクト３は、金属板を打抜き加工および折曲げ加工することで形成されている。コンタクト３は、ハウジング１内にインサート成形等によって固定されている。ハウジング１には、コンタクト穴１１ｈが設けられており、コンタクト３の先端は、コンタクト穴１１ｈを通して、受入空間１１内に入り込んでいる。コンタクト３の他端は、カードコネクタＣが取り付けられる図示しない基板の導体パターンに半田接続される。
【００２４】
スライダ４、ストッパ５、コイルばね６、カムピン７、および、板ばね８は、ハウジング１とシェル２との間に形成された受入空間１１に配置されている。スライダ４、ストッパ５、コイルばね６、および、カムピン７は、プッシュ／プッシュ形式のイジェクト機構を構成する。スライダ４は、ハウジング１に、挿入方向Ｘにスライド自在に支持されている。より詳細には、ハウジング１の、スライダ４が配置された側の縁には、挿入方向Ｘに延びる立壁１２が設けられている。また、ハウジング１には、挿入方向Ｘに延びる案内溝１３も設けられている。案内溝１３には、スライダ４が有する突起４１が入り込んでいる。スライダ４は、ハウジング１の立壁１２および案内溝１３に案内されて挿入方向Ｘにスライドする。
【００２５】
図２は、スライダおよびストッパをそれぞれ示す平面図である。また、図３は、スライダおよびストッパをそれぞれ示す側面図である。
【００２６】
スライダ４は、樹脂材料を成型することで形成されている。スライダ４は、上述した突起４１に加え、スライダ本体４２、押当て部４３、カム部４４、および、ばね係合部４５を備えている。
【００２７】
スライダ本体４２は挿入方向Ｘに長く延びている。スライダ本体４２には、高さ方向Ｚに突出した案内壁４２１が設けられている。案内壁４２１は、カードＪの厚みに相当する高さを有し、挿入方向Ｘに延びている。案内壁４２１は、カードＪ（図１参照）の挿入時にカードＪの側縁に接触して、カードＪを案内する。
【００２８】
押当て部４３は、スライダ本体４２から鉤状に延びた部分である。押当て部４３は、カードＪ（図１参照）の挿入時にカードＪの前端縁Ｅ（図１参照）に対面した位置に配置されており、カードＪの前端縁Ｅに押し当てられる部分となる。押当て部４３は、カードＪの厚みに相当する高さを有する。スライダ４は、押当て部４３がカードＪ（図１参照）に押され、受入空間１１（図１参照）の奥側に移動する。またこの逆に、スライダ４は、挿入方向Ｘとは逆向きの排出方向に移動するとき押当て部４３でカードＪを押す。スライダ本体４２の、押当て部４３が突出する根本部分には、ストッパ５を支持するとともに移動を規制するストッパ規制部４２２が設けられている。
【００２９】
カム部４４は、スライダ本体４２に続いて設けられている。カム部４４およびカムピン７は、スライダ４を導くカム機構を構成している。カム部４４には第１カム溝４４１が形成されている。第１カム溝４４１は、図１に示すようにカムピン７の先端が入り込んでおり、カムピン７とともにスライダ４の位置決めを行う。第１カム溝４４１は、第１極限位置４４１ａ、ロック位置４４１ｂ、第２極限位置４４１ｃ、およびイジェクト位置４４１ｄの４つの位置を頂点とするハートカム溝であり、概略ハート形状である。
【００３０】
また、カム部４４には、第２カム溝４４２が付加的に形成されている。第２カム溝４４２は、第１極限位置４４１ａとイジェクト位置４４１ｄとの途中で第１カム溝４４１から分岐している。第２カム溝４４２は、挿入方向Ｘにおける第１極限位置４４１ａと同じ位置まで延びている。第２カム溝４４２の先は行き止まりとなっている。
【００３１】
第１カム溝４４１における上記４つの位置の間には、カムピン７の移動方向を規定する段差ｓが設けられている。このため、第１カム溝４４１は、スライダ４が移動するのに伴い、カムピン７（図１参照）を、第１極限位置４４１ａ、ロック位置４４１ｂ、第２極限位置４４１ｃ、およびイジェクト位置４４１ｄの順に循環的に案内する。例えば、イジェクト位置４４１ｄから第１極限位置４４１ａに案内されたカムピン７（図１参照）は、次にロック位置４４１ｂに案内される。第１極限位置４４１ａは、本発明にいう極限位置の一例に相当する。
【００３２】
イジェクト位置４４１ｄにあるカムピン７は、第１カム溝４４１から、第２カム溝４４２にも案内され得る。第１カム溝４４１のイジェクト位置４４１ｄと第２カム溝４４２との間には、段差は設けられていない。このため、後述するように、第２カム溝４４２に案内されたカムピン７は、ロック位置４４１ｂではなくイジェクト位置４４１ｄに戻ることとなる。
【００３３】
ばね係合部４５は、コイルばね６（図１参照）の一端が取り付けられる突起である。コイルばね６については後に説明する。
【００３４】
ストッパ５は、スライダ４に組み合わされる部材である。ストッパ５は、金属板を打抜き加工および折曲げ加工することで形成されている。ストッパ５は、ストッパ本体５１、切欠対応部５２、および経路切替部５３を有する。ストッパ本体５１は、挿入方向Ｘに長く延びている。ストッパ５の切欠対応部５２は、図１に示すように、カードＪが受入空間１１に正規の姿勢で挿入されるときの、切欠きＮに対面した位置に配置されている。切欠対応部５２は、正規の姿勢で挿入されたカードＪ（図１参照）の切欠きＮに入る。
【００３５】
切欠対応部５２は、ストッパ本体５１に続いており、図３に示すように、断面が略Ｕ字状に曲がっている。ストッパ５がスライダ４に組み合わされるとき、切欠対応部５２は、Ｕ字状に曲がった両側の縁部５２ａ，５２ｂを挿入方向Ｘに向けてストッパ規制部４２２を跨ぐように配置される。切欠対応部５２の挿入方向Ｘにおける内側の長さＬ１１は、ストッパ規制部４２２の挿入方向Ｘにおける長さＬ２よりも長い。このため、ストッパ５は、挿入方向Ｘに遊びを持って支持されている。ストッパ５の縁部５２ａ，５２ｂのうち、挿入口１１ａ（図１参照）に面した縁部５２ａは、押当て部４３や案内壁４２１と同様に、カードＪの厚みに相当する高さを有する。
【００３６】
経路切替部５３は、スライダ４のカム部４４の上に位置し、カムピン７（図１参照）の移動経路を切換える部分である。経路切替部５３は、第１誘導片５３１および第２誘導片５３２を有する。第２誘導片５３２は、カムピン７を導く傾斜案内面５３２ａを有する。傾斜案内面５３２ａは、カム部４４の第２カム溝４４２に向かって傾斜している。
【００３７】
図４は、スライダおよびストッパが組み合わせられた状態を示す図である。図４のパート（Ａ）は平面図であり、パート（Ｂ）はパート（Ａ）のＢ−Ｂ線における断面図である。
【００３８】
先に説明したように、ストッパ５は、挿入方向Ｘに遊びを持ってスライダ４に支持されている。ストッパ５がスライダ４上で最も挿入方向Ｘに移動した位置を前方位置と称し、挿入方向Ｘとは反対方向である排出方向に最も移動した位置を後方位置と称する。図４には、ストッパ５が、スライダ４上における後方位置に位置した状態が示されている。この状態では、経路切替部５３の第１誘導片５３１が、第２カム溝４４２への経路を遮っている。つまり、この状態では、ストッパ５は、イジェクト位置４４１ｄから第１溝４４１を移動してくるカムピン７（図１参照）を、第１極限位置４４１ａに導くこととなる。
【００３９】
図５は、図４に対し、ストッパが前方位置に位置した状態を示す図である。
【００４０】
図５に示す状態では、経路切替部５３の第１誘導片５３１が、第２カム溝４４２から退避するとともに、第２誘導片５３２が、第１カム溝４４１の第１極限位置４４１ａへの経路を遮っている。つまり、この状態では、ストッパ５は、イジェクト位置４４１ｄから第１溝４４１を移動してくるカムピン７（図１参照）を、第２誘導片５３２に設けられた傾斜案内面５３２ａ（図２参照）に沿って第２カム溝４４２に導くこととなる。
【００４１】
再び図１を参照して説明する。コイルばね６は、ハウジング１のばね係合部１ａと、スライダ４のばね係合部４５（図２参照）との間に設けられた圧縮ばねである。コイルばね６は、スライダ４を、挿入方向Ｘとは逆の方向き、すなわちカードＪを受入空間１１から押し出す方向に付勢している。
【００４２】
カムピン７は、両端部分が略直角に折れ曲がった概略Ｕ字状の棒である。カムピン７は、金属棒を折曲げ加工することで形成されている。カムピン７の折れ曲がった一端７ａはハウジング１に挿入されており、カムピン７はこの一端７ａを軸として、ハウジング１に回転自在に支持されている。カムピン７の他端７ｂは、スライダ４の第１カム溝４４１に嵌入している。第１カム溝４４１および第２カム溝４４２（図２参照）が形成されたカム部４４並びにカムピン７で構成されたカム機構が、スライダ４の位置決めを行う。
【００４３】
板ばね８は、ストッパ５を挿入方向Ｘとは逆の排出方向に向かって付勢するための部材である。板ばね８は、本発明にいうストッパ付勢部材の一例に相当する。
【００４４】
［正規の姿勢でのカード挿入］
上述した構成のカードコネクタＣでは、カードＪの誤挿入が防止される。ここではまず、カードＪが正規の姿勢でカードコネクタＣに挿入された場合の各部の動作を説明する。
【００４５】
図６は、正規の姿勢でカードがカードコネクタに挿入された状態を示す図である。
【００４６】
カードＪが図１に示すカードコネクタＣの受入空間１１（図１参照）に正規の姿勢で挿入されると、カードＪの前端縁Ｅが、スライダ４の押当て部４３に当たる。スライダ４は、カードＪの前端縁Ｅに押され、コイルばね６の付勢力に抗して、受入空間１１の、挿入方向Ｘにおける奥側に移動する。このとき、ストッパ５もスライダ４に押されて挿入方向Ｘに移動する。スライダ４は、図６に示すように、押当て部４３が制止壁１４に当たる最奥位置まで移動することができる。図６には、スライダ４が最奥位置まで移動して、押当て部４３が制止壁１４に当たり、スライダ４の挿入方向Ｘへの更なる移動が阻止された状態が示されている。このとき、ストッパ５は、板ばね８に接し、板ばね８によって、挿入方向Ｘとは反対の排出方向に付勢される。また、ストッパ５の切欠対応部５２の一部はカードＪの前端縁Ｅの切欠きＮに入り込む。したがって、ストッパ５は、スライダ４に対し相対的に挿入方向Ｘとは反対の排出方向に移動し、図４に示した、スライダ４上の後方位置に位置する。
【００４７】
このとき、カムピン７は、スライダ４の移動に伴い、イジェクト位置４４１ｄを離れ、第１カム溝４４１に沿って案内される。先に説明したように、ストッパ５は、スライダ４上における後方位置に位置した状態では、カムピン７を第１極限位置４４１ａに導く。したがって、カムピン７は、第１カム溝４４１の第１極限位置４４１ａに案内される。
【００４８】
次に、カードＪへの押込力が解放されると、スライダ４が、コイルばね６の付勢力によって、カードを押し出す向き、すなわち排出方向にわずかに戻る。
【００４９】
図７は、スライダがロック位置に移動した状態を示す平面図である。
【００５０】
カードＪへの押込力が解放されてスライダ４が動くと、第１極限位置４４１ａにあったカムピン７は、今度はロック位置４４１ｂに入り込む。ロック位置４４１ｂに入り込んだカムピン７は、スライダ４の更なる動きを阻止する。カードＪは、図７に示す位置で停止する。カムピン７がロック位置４４１ｂに入り込んだ状態における、スライダ４の位置もロック位置と称する。ロック位置では、カードＪがカードコネクタＣに完全に装着された状態となる。ロック位置では、カードコネクタＣのコンタクト３（図１参照）の先端が、カードＪの電気接点Ｐ１〜Ｐ６（図１参照）に弾性接触する。
【００５１】
スライダ４がロック位置にあるときに、カードＪに再び押込力が付与されると、カードＪがスライダ４を、コイルばね６の付勢力に抗して挿入方向Ｘに押す。スライダ４は、押当て部４３がハウジング１の奥に設けられた制止壁１４に当たるまで移動する。また、スライダ４の移動に伴い、カムピン７は、第１カム溝４４１のロック位置４４１ｂから第２極限位置４４１ｃに案内される。
【００５２】
次に、カードＪへの押込力が解放されると、スライダ４が、コイルばね６の付勢力によってカードを押し出す向き、すなわち挿入方向Ｘとは反対の排出方向に動く。また、カムピン７は、第１カム溝４４１の第２極限位置４４１ｃからイジェクト位置４４１ｄに案内される。したがって、スライダ４は、図１に示す排出位置まで移動しながら、カードＪを押し出す。排出位置までスライダ４が移動することによって、カードＪの多くの部分が、カードコネクタＣの外に露出する。したがって、カードＪを手指でつまんで取り出すことができる。
【００５３】
［不正な姿勢でのカード挿入］
続いて、カードＪが不正な姿勢でカードコネクタＣに挿入された場合の各部の動作を説明する。
【００５４】
図８は、不正な姿勢でカードがカードコネクタに挿入された状態を示す。
【００５５】
図８に示すカードＪは、図６に示す正規の姿勢のカードＪに対し表裏及び左右が反転している。したがって、電気接点Ｐ１〜Ｐ６は実線で表されている。また、切欠きＮは前端縁Ｅの右側に配置されている。
【００５６】
図８に示す姿勢のカードＪがカードコネクタＣに挿入されると、スライダ４は、カードＪに押されて挿入方向Ｘに移動する。カードＪの前端縁Ｅの左側には切欠きＮがないため、ストッパ５の切欠対応部５２もカードＪに押される。その一方で、スライダ４は、コイルばね６によって、挿入方向Ｘとは逆向きに付勢される。このようにして、ストッパ５は、スライダ４上で挿入方向Ｘに移動し前方位置に位置した状態となる。
【００５７】
本実施形態のカードコネクタＣにおけるストッパ５の切欠対応部５２の、カードＪに突き当たる縁部５２ａの高さｈ（図２参照）は、カードＪの厚みに相当する高さとなっている。このため、たとえカードＪが強い力で押し込まれても、カードＪが切欠対応部５２に乗り上がる事態が防止され、カードＪの誤挿入防止が確実となる。また、ストッパ５は金属製であり、カードＪが強い力で押し込まれても切欠対応部５２が破損し難い。またさらに、スライダ４と、ストッパ５の切欠対応部５２との双方によってカードＪの移動が阻止されるため力が分散し、切欠対応部５２が破損し難い。
【００５８】
カムピン７は、スライダ４の移動に伴い、第１カム溝４４１のイジェクト位置４４１ｄから離れる。しかしこのとき、ストッパ５は、図５で示した、スライダ４上で前方位置に位置した状態となる。この状態では、カムピン７は、第２カム溝４４２に導かれる。つまり、カムピン７は、第１極限位置４４１ａに到達しない。第１極限位置４４１ａに到達しないカムピン７は、その次の位置であるロック位置４４１ｂに移行し得ない。このため、後にカードＪへの押込力が解放され、コイルばね６の付勢力によってスライダ４が動くと、カムピン７は、ロック位置４４１ｂに入らず、イジェクト位置４４１ｄまで戻ることとなる。このとき、カードＪは、スライダ４によって受入空間１１から押し出される。
【００５９】
本実施形態のカードコネクタＣでは、不正な姿勢でカードが挿入された場合に、カードＪが受入空間１１から押し出される。このため、カードＪが正常に挿入されなかったことが判別しやすい。
【００６０】
なお、図８には、不正な姿勢として、正規の姿勢に対し表裏が反転しているカードＪが示されている。しかし、カードＪが、正規の姿勢に対し前後のみ、又は前後及び表裏を反転するようにした姿勢であっても、カムピン７の第１極限位置４４１ａへの移動は禁止される。この結果、カードＪは受入空間１１から押し出される。
【００６１】
また、本発明にいうストッパ付勢部材の例として、板ばね８が示されている。ただし、本発明はこれに限られるものではなく、ストッパ付勢部材は、例えばコイルばねやゴムであってもよい。
【００６２】
また、上述した実施形態が対象とするカードの例として、マイクロＳＩＭカードが示されている。ただし、本発明はこれに限られるものではなく、例えばＳＤカードに代表されるＩＣカードであってもよい。また、コンタクトも６以外の複数であってよい。
【符号の説明】
【００６３】
Ｃ    カードコネクタ
１    ハウジング
２    シェル
３    コンタクト
４    スライダ
４４    カム部
４４１    第１カム溝
４４１ａ    第１極限位置
４４１ｂ    ロック位置
４４１ｃ    第２極限位置
４４１ｄ    イジェクト位置
４４２    第２カム溝
５    ストッパ
５２    切欠対応部
５３    経路切替部５３
５３１    第１誘導片
５３２    第２誘導片
５３２ａ    傾斜案内面
７    カムピン
８    板ばね（ストッパ付勢部材）
１１    受入空間
Ｊ    カード
【図１】
0005400846.tif 000002
【図２】
0005400846.tif 000003
【図３】
0005400846.tif 000004
【図４】
0005400846.tif 000005
【図５】
0005400846.tif 000006
【図６】
0005400846.tif 000007
【図７】
0005400846.tif 000008
【図８】
0005400846.tif 000009